(57)【要約】  【課題】必要でない限りログイン状態を維持せず、画像形成装置を確実にログアウト状態として、情報セキュリティ上の性能向上をはかる。  【解決手段】画像形成装置は、識別情報を取得する識別情報取得部と、認証情報を記憶する記憶部と、識別情報と、認証情報に基づき、画像形成装置の使用が許可されログインが認められた状態では、少なくとも画像形成装置に行わせるジョブの実行開始指示を受け付け、ログアウト状態ではジョブの実行開始指示を受け付けず、かつ、ジョブの実行開始をトリガとして、ログアウト状態となる操作入力部と、を有する。【選択図】図６
2011123249.tif 000002
【特許請求の範囲】
【請求項１】
使用者を特定するための識別情報を取得する識別情報取得部と、
画像形成装置を使用させて良いか判定するための認証情報を記憶する記憶部と、
前記識別情報取得部が取得した識別情報と、前記認証情報に基づき、画像形成装置の使用が許可されログインが認められた状態では、少なくとも画像形成装置に行わせるジョブの実行開始指示を受け付け、ログアウト状態ではジョブの実行開始指示を受け付けず、かつ、ジョブの実行開始をトリガとして、ログアウト状態となる操作入力部と、を有することを特徴とする画像形成装置。
【請求項２】
使用者を特定するための識別情報を取得する識別情報取得部と、
画像形成装置を使用させて良いか判定するための認証情報を記憶する記憶部と、
表示を行い、入力を受け付ける表示入力部を含み、前記識別情報取得部が取得した識別情報と、前記認証情報に基づき、画像形成装置の使用が許可されログインが認められた状態では、少なくとも画像形成装置に行わせるジョブの実行開始指示を受け付け、ログアウト状態ではジョブの実行開始指示を受け付けず、かつ、ジョブの実行開始がなされたことをトリガとして、ログアウト状態としてよいか否かを設定するための確認画面を前記表示入力部に表示し、前記確認画面でログアウト状態として良い旨の入力であるログアウト指示が行われたことをトリガとしてログアウト状態となる操作入力部と、を有することを特徴とする画像形成装置。
【請求項３】
前記記憶部は、画像データを記憶し、
前記操作入力部は、秘密を保持すべきと定められた画像データを用いた場合には、ジョブの実行開始、あるいは、前記ログアウト指示の入力をトリガとして、ログアウト状態となることを特徴とする請求項１又は２に記載の画像形成装置。
【請求項４】
前記記憶部は、画像データを記憶し、
前記操作入力部は、秘密を保持すべきと定められた画像データを用いてジョブを行う際に必要となり、前記画像データに付随するパスワードの入力を受け付け、パスワードの入力を要する画像データを用いた場合には、ジョブの実行開始、あるいは、前記ログアウト指示の入力をトリガとして、ログアウト状態となることを特徴とする請求項３に記載の画像形成装置。
【請求項５】
原稿を読み取る画像読取部と、
前記画像読取部が生成した原稿の画像データに基づき画像を形成して用紙に複写を行う画像形成部を有し、
複写のジョブの実行開始、あるいは、前記ログアウト指示の入力をトリガとして、前記操作入力部は、ログアウト状態となることを特徴とする請求項１乃至４の何れか１項に記載の画像形成装置。
【請求項６】
外部装置とデータの通信を行うための通信部を有し、
前記通信部からのデータの送信するジョブの実行開始、あるいは、前記ログアウト指示の入力をトリガとして、前記操作入力部は、ログアウト状態となることを特徴とする請求項１乃至５の何れか１項に記載の画像形成装置。
【請求項７】
前記通信部が前記外部装置から画像データを含むプリンタジョブデータを受信し、
前記記憶部は、前記通信部が受信したプリンタジョブデータを記憶し、
前記画像形成部は、プリンタジョブデータの送信者のログインが認められたとき、プリンタジョブデータに基づき画像形成を開始し、
画像形成開始、あるいは、前記ログアウト指示の入力をトリガとして、前記操作入力部は、ログアウト状態となることを特徴とする請求項６に記載の画像形成装置。
【請求項８】
前記識別情報取得部は、前記操作入力部でもあることを特徴とする請求項１乃至７のいずれか１項に記載の画像形成装置。
【発明の詳細な説明】
【技術分野】
【０００１】
本発明は、認証機能を有する複合機、複写機、プリンタ、ＦＡＸ装置等の画像形成装置に関する。
【背景技術】
【０００２】
例えば、複合機、複写機、プリンタ、ＦＡＸ装置等の画像形成装置は、部署やフロアごとに設置され、一般に、１台の画像形成装置を、複数人で用いる。しかし、画像形成装置を誰でも使用できる状態にしておけば、悪用される畏れがある。又、画像形成装置内には、機密を守るべき文書のデータが記憶されることもあり、悪意の者が文書データを閲覧、印刷することもある。従って、誰でも画像形成装置を使用できる状態にしておくことは、セキュリティ上で問題がある。又、画像形成装置を管理する上で、各使用者につき、使用できる権限を制限したい場合もある。そこで、認められた者だけが、認められた範囲で画像形成装置を使用できるようにするため、画像形成装置に認証機能を設けることがある。このような、画像形成装置の一例が特許文献１に記載されている。
【０００３】
具体的に、ユーザを認証する認証手段と、ユーザの認証を解除する認証解除手段と、認証解除手段によりユーザの認証が解除される際に、ユーザに関する情報とユーザが開設したセッションに関する情報との対応情報を記憶する記憶手段と、認証手段によりユーザが認証された際に、ユーザに関する情報とユーザが開設したセッションに関する情報との対応情報を記憶手段から読み出し、対応情報を用いて、セッションを再開する再開手段とを備えた情報処理装置が特許文献１に記載されている。又、情報処理装置としては、複合機が例示されている。この構成により、セキュリティを確保した状態で中断し、再度操作を行う際に元の状態へ適切に復帰しようとする（特許文献１：請求項１、段落［０００７］、段落［００１３］等参照）。
【先行技術文献】
【特許文献】
【０００４】
【特許文献１】特開２００７−２１３４１９
【発明の概要】
【発明が解決しようとする課題】
【０００５】
特許文献１に記載されるように、認証を受けた者は、画像形成装置を使用することができる。そして、使用者による使用の後、例えば、ログアウト状態への移行を指示するキーが押下されるか、使用者によって実行されたジョブ（例えば、複写）実行後一定時間が経過すると、画像形成装置の状態が、ログイン状態からログアウト状態とされる。画像形成装置は、ログアウト状態になると、印刷等を行えない状態となる。
【０００６】
しかし、使用者は、ジョブが完了して、画像形成装置から立ち去る際に、ログアウト状態への移行を指示するキーの押下を忘れることがある。又、ジョブ実行後、一定時間経過によってログアウト状態になるとしても、ログアウト状態となるまで、直前に使用していた使用者になりすまして、画像形成装置を使用できると言う問題がある。例えば、画像形成装置内に、機密を保持すべき文書等のデータが記憶されていれば、悪意の第三者は、閲覧、印刷できる。そのため、キーの押下によるログアウト状態への移行や、ジョブ完了から一定時間経過してからのログアウト状態への移行では、情報のセキュリティの点で問題がある。
【０００７】
ここで、特許文献１の記載をみると、一定時間操作をしなかったことで、強制的にログアウトさせる点は記載されている（特許文献１：段落［００３５］等参照）。しかし、特許文献１には、ユーザのログアウト処理のし忘れや、ジョブ完了から一定時間経過することによるログアウトでのなりすましの問題や、情報セキュリティの問題についての記載や示唆はなく、上記問題を解決できない。
【０００８】
本発明は、上記従来技術の問題点に鑑みてなされたものであり、必要でない限りログイン状態を維持せず、画像形成装置を確実にログアウト状態として、情報セキュリティ上の性能向上をはかり、ログアウト処理のし忘れの防止を図ることを課題とする。
【課題を解決するための手段】
【０００９】
上記課題解決のため、請求項１に係る画像形成装置は、使用者を特定するための識別情報を取得する識別情報取得部と、画像形成装置を使用させて良いか判定するための認証情報を記憶する記憶部と、前記識別情報取得部が取得した識別情報と、前記認証情報に基づき、画像形成装置の使用が許可されログインが認められた状態では、少なくとも画像形成装置に行わせるジョブの実行開始指示を受け付け、ログアウト状態ではジョブの実行開始指示を受け付けず、かつ、ジョブの実行開始をトリガとして、ログアウト状態となる操作入力部と、を有することとした。
【００１０】
この構成によれば、操作入力部は、ジョブの実行開始をトリガとして、ログアウト状態となるので、ログアウトが確実に行われる。これにより、ログアウト処理忘れを防ぐことができる。又、直前に使用していた使用者になりすましての画像形成装置の使用を防ぐことができる。又、画像形成装置内の機密を保持すべき文書等のデータの悪意の第三者による閲覧、印刷を防ぐことができる。従って、キーの押下や、ジョブ完了から一定時間経過により、ログアウト状態に移行される場合よりも、情報セキュリティ上の性能を高めることができる。
【００１１】
又、請求項２に係る画像形成装置は、使用者を特定するための識別情報を取得する識別情報取得部と、画像形成装置を使用させて良いか判定するための認証情報を記憶する記憶部と、表示を行い、入力を受け付ける表示入力部を含み、前記識別情報取得部が取得した識別情報と、前記認証情報に基づき、画像形成装置の使用が許可されログインが認められた状態では、少なくとも画像形成装置に行わせるジョブの実行開始指示を受け付け、ログアウト状態ではジョブの実行開始指示を受け付けず、かつ、ジョブの実行開始がなされたことをトリガとして、ログアウト状態としてよいか否かを設定するための確認画面を前記表示入力部に表示し、前記確認画面でログアウト状態として良い旨の入力であるログアウト指示が行われたことをトリガとしてログアウト状態となる操作入力部と、を有することとした。
【００１２】
この構成によれば、請求項１記載の効果に加え、操作入力部は、ジョブの実行開始後、直ちに表示される確認画面でログアウト状態として良い旨の入力が行われた後にログアウト状態となるので、使用者の意思を確認したうえで、ログアウト処理が行われる。これにより、続けてジョブを行う場合など、使用者は、ログインを再度行う必要が無く、画像形成装置の利便性を高めることができる。
【００１３】
又、請求項３に係る発明は、請求項１又は２の発明において、前記記憶部は、画像データを記憶し、前記操作入力部は、秘密を保持すべきと定められた画像データを用いた場合には、ジョブの実行開始、あるいは、前記ログアウト指示の入力をトリガとして、ログアウト状態となることとした。
【００１４】
この構成によれば、例えば、記憶部への記憶時等、予め機密を保持すべきと定められた画像データを用いた場合、ジョブの実行開始をトリガとしてログアウト状態となるので、セキュリティ上、機密を保持すべきジョブが実行されたとき、自動的にログアウト処理が行われる。あるいは、機密を保持すべきと定められた画像データを用いた場合、ログアウト指示の入力をトリガとして、ログアウト状態となるので、ログアウト処理忘れを防ぐことができる。従って、機密を保持すべきレベルが高いジョブに関して悪意の第三者によって実行履歴の閲覧や再印刷等が行われることを防ぐことができる。
【００１５】
又、請求項４に係る発明は、請求項３の発明において、前記記憶部は、画像データを記憶し、前記操作入力部は、秘密を保持すべきと定められた画像データを用いてジョブを行う際に必要となり、前記画像データに付随するパスワードの入力を受け付け、パスワードの入力を要する画像データを用いた場合には、ジョブの実行開始、あるいは、前記ログアウト指示の入力をトリガとして、ログアウト状態となることとした。
【００１６】
この構成によれば、パスワードの入力を要する画像データを用いた場合、ジョブの実行開始をトリガとして、ログアウト状態となるので、セキュリティ上、機密を保持すべきレベルが高いジョブが実行されたときに、自動的なログアウト処理が行われる。あるいは、パスワードの入力を要する画像データを用いた場合、ログアウト指示の入力をトリガとして、ログアウト状態となるので、ログアウト処理忘れを防ぐことができる。これにより、機密を保持すべきレベルが高いジョブに関し、悪意の第三者によって実行履歴の閲覧や再印刷等が行われることを防ぐことができる。
【００１７】
又、請求項５に係る発明は、請求項１乃至４の発明において、原稿を読み取る画像読取部と、前記画像読取部が生成した原稿の画像データに基づき画像を形成して用紙に複写を行う画像形成部を有し、複写のジョブの実行開始、あるいは、前記ログアウト指示の入力をトリガとして、前記操作入力部は、ログアウト状態となることとした。
【００１８】
従来、使用者は、複写物を得ると目的を達したとして、ログアウト状態とするためのキーを押下し忘れる等のログアウト処理忘れがあったが、この構成によれば、複写（コピー）のジョブの実行開始、あるいは、ジョブの実行開始後、直ちに表示される確認画面でのログアウト指示の入力をトリガとして、操作入力部は、ログアウト状態となる。これにより、複写が行われても、確実に画像形成装置をログアウト状態とすることができる。
【００１９】
又、請求項６に係る発明は、請求項１乃至５の発明において、外部装置とデータの通信を行うための通信部を有し、前記通信部からのデータの送信するジョブの実行開始、あるいは、前記ログアウト指示の入力をトリガとして、前記操作入力部は、ログアウト状態となることとした。
【００２０】
従来、使用者は、ＦＡＸ送信等のデータ送信が完了すると目的を達したとして、ログアウト状態とするためのキーを押下し忘れる等のログアウト処理を忘れることがあったが、この構成によればデータ送信のジョブの実行開始、あるいは、ジョブの実行開始後、直ちに表示される確認画面でのログアウト指示の入力をトリガとして、操作入力部は、ログアウト状態となる。これにより、データ送信が行われても、確実に画像形成装置をログアウト状態とすることができる。
【００２１】
又、請求項７に係る発明は、請求項６の発明において、前記通信部が前記外部装置から画像データを含むプリンタジョブデータを受信し、前記記憶部は、前記通信部が受信したプリンタジョブデータを記憶し、前記画像形成部は、プリンタジョブデータの送信者のログインが認められたとき、プリンタジョブデータに基づき画像形成を開始し、画像形成開始、あるいは、前記ログアウト指示の入力をトリガとして、前記操作入力部は、ログアウト状態となることとした。
【００２２】
この構成によれば、画像形成部は、プリンタジョブデータの送信者のログインが認められたとき、プリンタジョブデータに基づき画像形成を開始するので、印刷物が確実にプリンタジョブデータの送信者に受け取られる。又、画像形成を開始、あるいは、ジョブの実行開始後、直ちに表示される確認画面でのログアウト指示の入力をトリガとして、操作入力部は、ログアウト状態となるので、プリンタジョブの印刷が行われても、確実に画像形成装置をログアウト状態とすることができる。
【００２３】
又、請求項８に係る発明は、請求項１乃至７の発明において、前記識別情報取得部は、前記操作入力部でもあることとした。
【００２４】
この構成によれば、識別情報取得部は、操作入力部でもあるとする。例えば、名前やパスワードの入力を受け付けて、識別情報を使用者の入力により取得する場合のように、操作入力部に識別情報を入力する場合がある。これにより、操作入力部と識別情報取得部を一体化することができ、コスト、スペースの点で有利である。
【発明の効果】
【００２５】
上述したように、本発明によれば、必要でない限り、ログイン状態は維持されない。これにより、画像形成装置を確実にログアウト状態とされる。従って、ログアウト処理のし忘れ等がなく、情報セキュリティ上の性能向上が図られる。
【図面の簡単な説明】
【００２６】
【図１】第１の実施形態に係る複合機の一例を示す模型的正面断面図である。
【図２】第１の実施形態に係る複合機の構成の一例を示すブロック図である。
【図３】（ａ）は、第１の実施形態に係る操作パネルの一例を示す平面図であり、（ｂ）は、ソフトキーボードの一例を示す液晶表示部の拡大説明図である。
【図４】第１の実施形態に係る複合機での操作パネルと認証装置の構成の一例を示すブロック図である。
【図５】（ａ）は、第１の実施形態に係る操作パネルでのログイン画面の一例を示す説明図であり、（ｂ）は、認証情報の入力画面の一例を示す説明図である。
【図６】第１の実施形態に係る複合機でのログイン、ログアウト制御の一例を示すフローチャートである。
【図７】第１の実施形態に係る複合機をプリンタとして使用する際のログイン、ログアウト制御の一例を示すフローチャートである。
【図８】第２の実施形態に係る複合機で表示されるログアウト確認のダイアログ表示の一例を示す説明図である。
【図９】（ａ）は、第２の実施形態に係る複合機での画像データの保存の設定画面の一例を示す説明図であり、（ｂ）は、パスワード入力画面の一例を示す説明図である。
【図１０】第２の実施形態に係る複合機でのログイン、ログアウト制御の一例を示すフローチャートである。
【図１１】第２の実施形態に係る複合機をプリンタとして使用する際のログイン、ログアウト制御の一例を示すフローチャートである。
【発明を実施するための形態】
【００２７】
以下、本発明の第１の実施形態を図１〜９を参照しつつ説明する。ここで、本発明は、各種画像形成装置に適用可能であるが、本発明を、操作パネル１（操作入力部、識別情報取得部に相当）を備えた複合機１００（画像形成装置に相当）を例に挙げて説明する。但し、本実施の形態に記載されている構成、配置等の各要素は、発明の範囲を限定するものではなく単なる説明例にすぎない。
【００２８】
（画像形成装置の概略）
まず、図１に基づき、本発明の第１の実施形態に係る複合機１００の概略を説明する。図１は本発明の第１の実施形態に係る複合機１００の一例を示す模型的正面断面図である。
【００２９】
図１に示すように、本実施形態の複合機１００は、最上部に原稿搬送装置１０１を有し、複合機１００本体には、操作パネル１、画像読取部１０２、給紙部２、搬送路３、画像形成部４、定着部５、リーダライタ６等が設けられる。
【００３０】
原稿搬送装置１０１は、原稿の複写時、原稿載置トレイ１０１Ａに積載された原稿を１枚ずつ、自動的、連続的に、画像読取部１０２の読み取り位置（送り読取用コンタクトガラス１０２Ａ）に向けて搬送する。画像読取部１０２は、原稿を読み取り、原稿の画像データを形成する。画像読取部１０２の上面には、送り読取用コンタクトガラス１０２Ａと載置読取用コンタクトガラス１０２Ｂが設けられる。又、画像読取部１０２内には露光ランプ、ミラー、レンズ、イメージセンサ（例えば、ＣＣＤ）等の光学系部材（不図示）が設けられる。
【００３１】
そして、この光学系部材を用い、原稿搬送装置１０１が搬送する原稿や、載置読取用コンタクトガラス１０２Ｂに載置される原稿に光を照射し、その原稿の反射光を受けたイメージセンサの各画素の出力値をＡ／Ｄ変換し、画像データが生成される。複合機１００は、読み取りにより得られた画像データに基づき印刷を行うことができる（複写機能）。尚、原稿搬送装置１０１は、図１の紙面奥側に支点が設けられ持ち上げ可能であり、原稿搬送装置１０１で原稿を押さえることができる。
【００３２】
給紙部２は、複数の用紙（例えば、コピー用紙、普通紙、再生紙、厚紙、ＯＨＰシート等の各種シート）を収容し、１枚ずつ搬送路３に送り込む。給紙部２は、収納用紙が載置されるカセット２１を含む（図１で上方のものに２１Ａ、下方のものに２１Ｂの符号を付す）。又、カセット２１から搬送路３に送り出すため回転駆動する給紙ローラ２２が設けられる（図１で上方のものに２２Ａ、下方のものに２２Ｂの符号を付す）。例えば、印刷時には、給紙ローラ２２が回転駆動し、画像形成に必要となる用紙が１枚ずつ搬送路３に送り出される。
【００３３】
搬送路３は、給紙部２から排出トレイ３１まで用紙を搬送するうえでの通路である。尚、用紙搬送経路上には画像形成部４、定着部５等が配される。そして、搬送路３には、用紙の案内のためのガイド３２や、用紙搬送の際に回転駆動する搬送ローラ対３３や、搬送されてくる用紙を画像形成部４の手前で待機させ、トナー像形成のタイミングを合わせて用紙を送り出すレジストローラ対３４等が設けられる。
【００３４】
画像形成部４は、画像データに基づきトナー像を形成し、搬送される用紙にトナー像を転写する。そのため、画像形成部４は、図１中に示す矢印方向に回転駆動可能に支持された感光体ドラム４１、及び、感光体ドラム４１の周囲に配設された帯電装置４２、レーザ走査ユニット４３、現像装置４４、転写ローラ４５、清掃装置４６等を備える。
【００３５】
トナー像形成及び転写プロセスを説明すると、画像形成部４の略中心に設けられ、所定方向に回転駆動する感光体ドラム４１は、図１において、感光体ドラム４１の右斜め上方に設けられる帯電装置４２によって所定電位に帯電される。レーザ走査ユニット４３は、図１において、帯電装置４２の右側方に設けられ、画像データに基づき、レーザ光Ｌをから出力し、感光体ドラム４１表面を走査露光して画像データに応じた静電潜像を形成する。尚、画像データは、画像読取部１０２で得られた画像データや、ネットワーク等により接続される外部のコンピュータ２００（外部装置に相当）や相手方ＦＡＸ装置３００（外部装置に相当。図２参照）から送信された画像データ等が用いられる。
【００３６】
そして、図１において、感光体ドラム４１の右斜め下方に設けられる現像装置４４は、感光体ドラム４１に形成された静電潜像にトナーを供給して現像する。感光体ドラム４１の左方に設けられる転写ローラ４５は感光体ドラム４１に圧接し、ニップが形成される。そして、トナー像にあわせタイミングを図られつつ、用紙はニップに進入する。用紙進入時、転写ローラ４５には所定の電圧が印加され、用紙に感光体ドラム４１上のトナー像が転写される。清掃装置４６は、転写後に感光体ドラム４１に残留するトナーを除去する。
【００３７】
定着部５は、用紙に転写されたトナー像を定着させる。本実施形態における定着部５は、主として発熱体を内蔵する加熱ローラ５１と加圧ローラ５２で構成される。加熱ローラ５１と加圧ローラ５２は圧接しニップを形成する。そして、用紙が、このニップを通過することで、用紙表面のトナーが溶融・加熱され、トナー像が用紙に定着する。トナー定着後の用紙は、排出トレイ３１が受け止める。このようにして、複写機能、プリンタ機能の使用時、画像形成（印刷）が行われる。
【００３８】
そして、動作の詳細は後述するが、本実施形態における複合機１００の右側面上方に、使用者を特定するための識別情報を記憶するカード６０（図２参照）から、識別情報を取得するリーダライタ６（識別情報取得部に相当）が設けられる。このカード６０は、例えば、ＲＦＩＤのＩＣカードや磁気カード等が用いられる。もし、カード６０がＩＣカードであれば、リーダライタ６は、無線によりＩＣカードと通信を行って識別情報を取得する。又、カード６０が磁気カードであれば、リーダライタ６は、磁気ヘッド等によって識別情報を取得する。
【００３９】
カード６０に記憶される識別情報は、カード６０を所持し、複合機１００を使用しようとする者を識別、特定するためのデータである。識別情報には、例えば、ユーザ名、ＩＤ、所属部署、使用権限等を示すデータが含まれる。尚、本実施形態の複合機１００では、取得された識別情報に基づいて複合機１００の使用者特定のほか、そのカード６０の所有者が複合機１００の使用資格を有するかの認証が行われる（詳細は後述）。
【００４０】
（複合機１００のハードウェア構成）
そこで、次に、図２に基づき、本発明の第１の実施形態に係る複合機１００のハードウェア構成の一例を説明する。図２は、本発明の第１の実施形態に係る複合機１００の構成の一例を示すブロック図である。
【００４１】
複合機１００内には、制御部７が設けられ、制御部７は、複合機１００の動作を制御し、例えば、ＣＰＵ７１、画像処理部７２等から構成される。尚、制御部７は、全体制御や画像処理を行うメイン制御部と、画像記録や各種回転体を回転させるモータ等のＯＮ／ＯＦＦ等を制御するエンジン制御部等、機能ごとに分割して複数種設けられてもよい。
【００４２】
ＣＰＵ７１は、中央演算処理装置であって、記憶部７３に格納され、展開されるプログラムやデータに基づき複合機１００の各部を制御する。画像処理部７２は、印刷を行う画像データや、外部のコンピュータ２００や相手方のＦＡＸ装置３００に送信される画像データに対し、各種画像処理を施す。
【００４３】
記憶部７３は、ＲＯＭ、ＲＡＭ、ＨＤＤ、フラッシュＲＯＭ等の不揮発性と揮発性の記憶装置を組み合わせて構成される。この記憶部７３には、複合機１００の制御用等の各種のプログラムやデータ、設定データ、画像データ等の各種データを記憶できる。
【００４４】
そして、制御部７は、操作パネル１、原稿搬送装置１０１、画像読取部１０２、給紙部２、搬送路３、画像形成部４、定着部５、認証装置６１（識別情報取得部に相当）等の各部と信号線等で接続され、各部、各装置を制御して複合機１００の動作を制御する。尚、認証装置６１は、ハードウェアとして設けられるが、制御部７のＣＰＵ７１、記憶部７３、プログラム等で、ソフトウェア的に実現してもよい。
【００４５】
更に、制御部７は、各種コネクタ、ソケット、通信制御用のチップ等を備えた通信部７４（インターフェイス部）と接続される。通信部７４は、ネットワークや公衆回線等により複数の外部のコンピュータ２００や相手方のＦＡＸ装置３００と接続され、例えば、画像データを含むデータを外部のコンピュータ２００や相手方ＦＡＸ装置３００（インターネットＦＡＸでもよい）に送信することができる（スキャナ機能、ＦＡＸ機能）。又、外部のコンピュータ２００や相手方ＦＡＸ装置３００からの画像データに基づき印刷を行うこともできる（プリンタ機能、ＦＡＸ機能）。このように、複合機１００は、複写機能、プリンタ機能、スキャン機能、ＦＡＸ機能のうちの複数の機能を備える。
【００４６】
（操作パネル１の構成）
次に、図３及び図４に基づき、本発明の第１の実施形態に係る複合機１００での操作パネル１の構成の一例を説明する。図３（ａ）は、本発明の第１の実施形態に係る操作パネル１の一例を示す平面図であり、（ｂ）は、ソフトキーボードＳＫの一例を示す液晶表示部１０の拡大説明図である。図４は、本発明の第１の実施形態に係る複合機１００での操作パネル１と認証装置６１の構成の一例を示すブロック図である。
【００４７】
まず、図１に破線で示すように、操作パネル１は、複合機１００の正面上方に設けられる。そして、図３（ａ）、図４に示すように、操作パネル１は、複合機１００の状態や各種メッセージを表示する液晶表示部１１（表示入力部に相当）を備える。液晶表示部１１は、機能の選択、設定を行うためのキーを１又は複数表示できる。又、液晶表示部１１の上面に透明なタッチパネル１２（表示入力部に相当。例えば、抵抗膜方式）が設けられる。タッチパネル１２は、液晶表示部１１で押下された部分の位置、座標を検出するためのものである。尚、タッチパネル１２としては、抵抗膜方式の他、表面弾性波方式、赤外線方式、静電容量方式等、各方式のものを採用でき特に制限はない。
【００４８】
尚、操作パネル１は、印刷部数等、テンキー部１３や複写やスキャン等のデータ送信の開始を指示するためのスタートキー１４、ログイン状態でのログアウトを直接指示するログアウトキー１５も備える。又、使用する機能を選択するために押下される機能選択キー群１６も設けられる。例えば、機能選択キー群１６には、コピー機能を使用する際に押下されるコピーキー１６Ａ、プリンタとして複合機１００を使用する際の各種設定を行う際に押下されるプリンタキー１６Ｂ、スキャン機能を使用する際に押下されるスキャンキー１６Ｃ、コピー機能を使用する際に押下されるＦＡＸキー１６Ｄが含まれる。このように、操作パネル１には、入力、設定用のハードキーが設けられる。
【００４９】
図４に示すように、操作パネル１には、液晶表示部１１、タッチパネル１２、スタートキー１４、テンキー部１３、機能選択キー群１６のほか、表示制御部１０、各種データを記憶するメモリ１７（記憶部に相当）、ドライバ１８、位置確認部１９等が設けられる。表示制御部１０は、スタートキー１４、テンキー部１３、機能選択キー群１６等の操作パネル１に設けられるキーと接続され、押下のあったキーを認識する。
【００５０】
又、表示制御部１０は、液晶表示部１１の表示を制御する。例えば、液晶表示部１１に表示させる画面、画像のデータは、メモリ１７に記憶される（制御部７の記憶部７３に画面、画像のデータを記憶させておき、通信により表示制御部１０が画像のデータを受けても良い。）。表示制御部１０は、画面、画像のデータを液晶表示部１１の表示を実際に制御するドライバ１８（例えば、ＩＣ）に与える。ドライバ１８は、これを受けて、液晶表示部１１の表示を切り替え、変化させる。
【００５１】
又、表示制御部１０は、位置確認部１９と接続される。位置確認部１９は、タッチパネル１２の出力電圧に基づき、液晶表示部１１のうち、押下された位置を把握する。タッチパネル１２に抵抗膜を用いている場合、抵抗膜からの出力電圧は、押下位置により変化する。このタッチパネル１２からの出力電圧に基づき、位置確認部１９は、液晶表示部１１における押下位置の座標を確認する。そして、押下位置の座標を示すディジタルデータを表示制御部１０に送信する。
【００５２】
表示制御部１０は、液晶表示部１１に現在表示させている画面、画像のデータと座標から、液晶表示部１１に表示されるキーの内、いずれのキーが押下されたかを把握する。尚、位置確認部１９を設けず、表示制御部１０にタッチパネル１２の出力を入力し、位置確認部１９の機能を表示制御部１０や制御部７に追わせても良い。又、押下されたキーの認識は、制御部７で行われても良い。これにより、使用者は、液晶表示部１１に表示されるキーを押下して、での表示とタッチパネル１２で複合機１００の各機能について、各種設定、モード選択等を行うことができる。
【００５３】
更に、使用者のログイン名等の登録や認証等の入力において、文字を入力可能とするため、液晶表示部１１は、図３（ｂ）に示すように、ソフトキーボードＳＫを表示することができる。例えば、ソフトキーボードＳＫを表示するための画像データは、記憶部７３やメモリ１７に記憶される。そして、使用者は、ソフトキーボードＳＫとして表示されたキーを押下して、文字等を入力できる。例えば、図３（ｂ）に示すように、アルファベット、記号、数字が、ソフトキーボードＳＫにおける入力キーとして表示される。又、本実施形態の複合機１００では、「全角ひらがな」と表示されたキーや、「かな漢字」と表示されたキーを押下すると、アルファベット等の入力キーが、かな文字が表示されたキーに入れ替わり、日本語（かな、漢字等）の文字入力を行うこともできる。そして、入力された文字列は、入力文字表示欄ＳＫ１に表示される。
【００５４】
（複合機１００における認証）
次に、図４及び図５に基づき、本発明の第１の実施形態に係る複合機１００での操作パネル１と認証装置６１の構成の一例を説明する。図５（ａ）は、本発明の第１の実施形態に係る操作パネル１でのログイン画面Ｄ１の一例を示す説明図であり、（ｂ）は、認証情報の入力画面の一例を示す説明図である。
【００５５】
ここで、制御部７は、基本的に、複合機１００を使用不可状態（ログアウト状態）とする。又、操作パネル１は、複写等の各種機能の設定やジョブ開始の指示を受け付けない。例えば、使用不可状態では、操作パネル１にコピーやＦＡＸ送信を行う旨の操作・入力が行われても、操作パネル１は無視し、制御部７は、その動作指示入力を無視する。又、外部のコンピュータ２００から画像データの送信があっても、印刷を行わず、制御部７は、画像データの送信を受け付け記憶部７３等に一時的に保存しても印刷は行わない。
【００５６】
一方、使用可能な者との認証が得られると、ログイン状態となり、制御部７は、複合機１００を使用可能な状態とする。又、操作パネル１は、複写等の各種機能の設定やジョブ開始の指示を受け付ける。本実施形態の複合機１００では、使用者は、操作パネル１に入力を行うことや、所持するカード６０をリーダライタ６に読み取らせて認証を受ける。尚、複合機１００に認証機能を持たせるには、操作パネル１に対する入力と、リーダライタ６でのカード６０の読み取りのうち、何れかが可能であればよい。
【００５７】
そこで、まず、操作パネル１に対する入力に基づく認証を説明する。即ち、識別情報取得部は、操作入力部（操作パネル１）でもある。操作パネル１に対する入力で認証を受け、ログインするには、図５（ａ）に示すように、使用者は、ログイン画面Ｄ１でユーザ名（ユーザＩＤでもよい）やログイン用のパスワードを、使用者を識別するための情報（識別情報）として入力する必要がある。このログイン画面Ｄ１は、複合機１００がログアウト状態のとき、液晶表示部１１に表示される。
【００５８】
例えば、使用者がログインユーザ名キーＫ１を押下すると、表示制御部１０は、図３（ｂ）に示したソフトキーボードＳＫを表示させる。又、ログインパスワードキーＫ２が押下されると、表示制御部１０は、ソフトキーボードＳＫを表示させる。そして、使用者は、自己のログインユーザ名とログインパスワードを入力する。そして、表示制御部１０は、入力結果をログインユーザ名表示欄Ｂ１と、ログインパスワード表示欄Ｂ２に表示させる。尚、例えば、ログインパスワード表示欄Ｂ２に表示される文字は、パスワードの文字数分の「＊」等であり、パスワード自体は表示されない。
【００５９】
使用者は、ログインユーザ名やログインパスワードの入力（識別情報の入力）が完了すると、ログインキーＫ３を押下する。ログインキーＫ３が押下されたことを表示制御部１０が認識すると、認証作業がなされる。例えば、操作パネル１内で認証を行う場合、予め複合機１００の使用者の認証情報を予め操作パネル１のメモリ１７に記憶させる。表示制御部１０は、メモリ１７内の認証情報と、入力され、取得された識別情報を比較し、一致するか確認する。一致すれば、表示制御部１０は、制御部７に複合機１００を使用させても良い旨のデータや使用者に関するデータを送信する。又、表示制御部１０は、ロックを解除し、操作パネル１は、各種機能の設定やジョブ開始の指示があれば、受け付ける。
【００６０】
又、例えば、認証は、制御部７や記憶部７３を使用して行われても良い。この場合、複合機１００の使用者の認証情報は、予め記憶部７３に記憶される。そして、ログインキーＫ３が押下されると、ログインユーザ名やログインパスワードを示すデータが表示制御部１０から制御部７に送られる。制御部７は、記憶部７３内の認証情報と、受け取った識別情報を比較し、一致するか確認する。一致すれば、制御部７は、複合機１００を使用可能状態として良いと認識し、表示制御部１０に複合機１００を使用させても良い旨のデータや使用者を特定する情報（例えば、ユーザ名）を送信する。これにより、表示制御部１０は、ロックを解除し、操作パネル１は、複写等の各種機能の設定やジョブ開始の指示があれば、受け付ける。
【００６１】
次に、カード６０の読み取りに基づく認証を説明する。例えば、カード６０には、ユーザ名やログイン用のパスワード等、使用者を識別するための情報（識別情報）が、予め記憶される（例えば、リーダライタ６でカード６０に書き込み）。そして、認証装置６１内には、図４に示すように、データの通信やデータ処理等を行うコントローラ６２と、予め複合機１００の使用者の認証情報を記憶するメモリ６３（記憶部に相当）が設けられる。
【００６２】
リーダライタ６でカード６０の記憶内容が読み取られると、そのデータがカード６０リーダから認証装置６１に入力される。コントローラ６２は、認証装置６１に入力されたデータ内の識別情報と、メモリ６３内の認証情報とを比較し、一致するか確認する。一致すれば、コントローラ６２は、制御部７に複合機１００を使用させてもよい旨のデータや使用者を特定する情報（例えば、ユーザ名）を送信する。制御部７は、表示制御部１０にそのデータを転送する。転送データ受信により、表示制御部１０は、ロックを解除し、操作パネル１は、複写等の各種機能の設定やジョブ開始の指示があれば、受け付ける。
【００６３】
このように、本実施形態の複合機１００では、操作パネル１の表示制御部１０とメモリ１７、制御部７と記憶部７３、認証装置６１のコントローラ６２とメモリ６３と言うように、複合機１００内の複数部分を認証を行う認証部として機能させることができる。
【００６４】
ここで、図５（ｂ）を用いて、複合機１００の使用者の登録の一例を説明する。図５（ｂ）は、液晶表示部１１に表示されるユーザ登録変更画面Ｄ２の一例が示されている。このユーザ登録変更画面Ｄ２は、例えば、複合機１００の管理者など、権限を有する者だけが開くことができる。
【００６５】
そして、管理者等は、新規キーＫ５を押下すると、新規に、複合機１００の使用者を登録することができる。例えば、登録内容（項目）としては、「ユーザ名」、「ユーザ（カナ）」、「ログインユーザ名」、「ログインパスワード」、「アクセスレベル」、「所属部門」、「メールアドレス」、「ネットワークアドレス」（例えば、ＩＰアドレス）等がある。尚、更に多くの項目を登録可能としても良い。
【００６６】
そして、登録されていない項目については、その内容が表示されない（例えば、図５（ｂ）では、「ユーザ（カナ）」の項目）。そして、各項目に関し、変更キーＫ４（Ｋ４ａ〜Ｋ４ｈ）が設けられる。例えば、いずれかの変更キーＫ４が押下されると、図３（ｂ）に示したソフトキーボードＳＫが表示され、数字、文字等の入力を行うことができる。これにより、新規の複合機１００の使用者登録や、既に登録されている者の変更登録を行うことができる。ユーザ登録変更画面Ｄ２でなされた入力は、登録キーＫ６が押下されると、認証情報として、記憶部７３や、メモリ１７や、メモリ６３に記憶される。
【００６７】
（複写、データ送信のジョブを行う際のログイン、ログアウト制御）
次に、図６に基づき、本発明の第１の実施形態に係る複合機１００で複写を行う際のログイン、ログアウト制御の一例を説明する。図６は、本発明の第１の実施形態に係る複合機１００でのログイン、ログアウト制御の一例を示すフローチャートである。
【００６８】
尚、本フローチャートは、複写や、原稿を読み取って、或いは、記憶部７３のボックスに記憶されたファイルの印刷や、コンピュータ２００や相手方ＦＡＸ装置３００に送信するジョブの実行時に関するフローチャートである。
【００６９】
ログイン状態となった場合、使用権限を有すると認証された使用者は、複合機１００を使用できる。又、操作パネル１は、各種設定や、スタートキー１４押下によるジョブ実行開始指示を受け付ける。しかし、複合機１００の使用後、ログイン状態のままであれば、誰でも複合機１００を使用できる。又、記憶部７３に記憶させた画像データも印刷できる場合もある。このように、複合機１００が、ログイン状態が維持されると、情報セキュリティ上、問題がある。
【００７０】
そこで、本実施形態の複合機１００では、複写等のジョブの実行指示としてスタートキー１４が押下され、ジョブが開始されると、ジョブ開始をトリガとして、自動的にログアウト状態となる。
【００７１】
まず、図６のスタートは、例えば、主電源投入時や、スリープモードからの復帰時、ジョブ完了等によって、複合機１００が、ログアウトしている状態である。ログアウト状態では、複合機１００は、使用不可で、制御部７は、ジョブ実行に関する制御を行わず、操作パネル１は複写等の各種機能の設定やジョブ開始の指示を受け付けない。言い換えると、操作パネル１は、ログアウト状態では、基本的にログインのための入力しか受け付けない。
【００７２】
そして、操作パネル１への入力や、リーダライタ６でのカード６０の読み取り等、識別情報の取得が行われたかが確認される（ステップ♯１）。例えば、操作パネル１へのユーザ名等の入力であれば表示制御部１０が、カード６０による場合は認証装置６１が、識別情報の取得が行われたかを確認する。もし、識別情報の取得がなければ（ステップ♯１のＮｏ）、ステップ♯１に戻る。一方、識別情報が取得されれば（ステップ♯１のＹｅｓ）、表示制御部１０や、制御部７や、認証装置６１で、複合機１００を使用させてよいか確認する認証が行われる（ステップ♯２）。
【００７３】
もし、認証の結果、複合機１００を使用させるべきでなければ（ステップ♯２のＮｏ）、例えば、ステップ♯１に戻る。一方、複合機１００の使用を認めても良い場合（ステップ♯２のＹｅｓ）、複合機１００は、ログイン状態となる（ステップ♯３）。ログイン状態では、制御部７は、ジョブ実行に関する制御を行い、操作パネル１は複写等の各種機能の設定やジョブ開始の指示を受け付ける。
【００７４】
そして、ログイン状態では、使用者によって各種ジョブに関する設定が行われる（ステップ♯４）。このとき、制御部７は、ボックス内のパスワード設定付きのファイルが選択される等（図９参照）、使用者の実行しようとするジョブがパスワードの入力が必要かを確認する。パスワードの入力が必要であれば、制御部７は、表示制御部１０に対し、パスワードの入力画面を表示すべき指示を与え、その結果、表示制御部１０は、液晶表示部１１にパスワードの入力画面を表示させる。そして、制御部７や操作パネル１は、ファイルに対応する正当なパスワードが入力された場合にだけ、パスワード付きのファイルに関するジョブの設定を受け付ける。
【００７５】
そして、表示制御部１０や制御部７は、例えば、スタートキー１４が押下されたかを確認する（ステップ♯５）。もし、スタートキー１４が押下されていなければ（ステップ♯５のＮｏ）、表示制御部１０や制御部７は、操作パネル１に対する直前の操作から、操作されないまま所定時間経過したか、及びログアウトキー１５が押されたか等の確認等をしてログアウトして良いかを確認する（ステップ♯６）。例えば、所定時間は、数分（例えば、２〜３分）とすることができるが、操作パネル１への入力により、管理者や使用者が所定時間を設定可能としてもよい。これにより、スタートキー１４が押されず、設定受付状態のまま、ログイン状態が続くことを防ぐことができる。
【００７６】
もし、ログアウトして良ければ（ステップ♯６のＹｅｓ）、ログアウト状態となり（ステップ♯７）、処理は終了される（エンド）。そして、再び、ステップ♯１から制御が開始される。一方、ログアウトすべきでなければ（ステップ♯６のＮｏ）、例えば、ステップ♯３に戻る。
【００７７】
又、スタートキー１４が押下されれば（ステップ♯５のＹｅｓ）、操作パネル１から制御部７に複写やデータ送信等開始の旨が伝達され、制御部７は、画像読取部１０２での原稿の読み取りや、得られた画像データに基づく画像形成や、給紙、用紙搬送、画像処理や通信部７４からのデータ送信等を行わせ、複写やデータ送信のジョブが実行される（ステップ♯８）。
【００７８】
その後、ステップ♯８の後、操作パネル１や複合機１００は、ログアウト状態となる（ステップ♯７）。尚、パスワードが要求される場合など、秘密を保持すべきと予め設定された画像データを利用する場合にのみ、操作パネル１や複合機１００は、ログアウト状態となるようにしてもよい。言い換えると、秘密を保持すべきと予め設定された画像データを利用する場合にのみ、本フローチャートが実行されてもよい。又、操作パネル１は、ジョブ実行開始直後にログアウト状態となってもよいし、ジョブ実行中にログアウト状態となってもよいし、ジョブ完了直後にログアウト状態となってもよい。即ち、本発明に係る画像形成装置（例えば、複合機１００）は、使用者を特定するための識別情報を取得する識別情報取得部（操作パネル１、認証装置６１）と、画像形成装置を使用させて良いか判定するための認証情報を記憶する記憶部７３（記憶部７３、メモリ１７、メモリ６３）と、識別情報取得部が取得した識別情報と、認証情報に基づき、画像形成装置の使用が許可されログインが認められた状態では、少なくとも画像形成装置に行わせるジョブの実行開始指示を受け付け、ログアウト状態ではジョブの実行開始指示を受け付けず、かつ、ジョブの実行開始をトリガとして、ログアウト状態となる操作入力部（操作パネル１）と、を有する。
【００７９】
具体的に、画像形成装置は、原稿を読み取る画像読取部１０２と、画像読取部１０２が生成した原稿の画像データに基づき画像を形成して用紙に複写を行う画像形成部４を有し、複写のジョブの実行開始をトリガとして、操作入力部（操作パネル１）は、ログアウト状態となる。又、画像形成装置は、外部装置とデータの通信を行うための通信部７４を有し、通信部７４からのデータの送信するジョブの実行開始をトリガとして、操作入力部は、ログアウト状態となる。
【００８０】
（プリンタジョブを行う際のログイン、ログアウト制御）
次に、図７に基づき、本発明の第１の実施形態に係る複合機１００をプリンタとして使用する際のログイン、ログアウト制御の一例を説明する。図７は、本発明の第１の実施形態に係る複合機１００をプリンタとして使用する際のログイン、ログアウト制御の一例を示すフローチャートである。
【００８１】
尚、本フローチャートは、複合機１００が、コンピュータ２００などから印刷を行う画像データや、印刷の設定データを含むプリンタジョブデータを通信部７４で受信した際の、印刷ジョブの実行に関するフローチャートである。
【００８２】
まず、図７のスタートは、複合機１００が、ログアウトしている状態である。ログアウト状態では、第三者の印刷物の持ち去りを防ぐため、複合機１００は、プリンタジョブデータを受信しても、直ちに印刷を開始しない。そして、プリンタジョブデータを送信した使用者のログインがあった時、印刷がなされる。
【００８３】
ログアウト状態で、制御部７は、通信部７４にプリンタジョブデータを受信したか確認を続ける（ステップ♯１１）。もし、プリンタジョブデータを受信すれば（ステップ♯１１のＹｅｓ）、制御部７は、プリンタジョブデータを記憶部７３に記憶させる（蓄積する）（ステップ♯１２）。次のステップ♯１３〜ステップ♯１５は、図６のステップ♯１〜ステップ♯３と同様であり、説明を省略する。尚、ステップ♯１３とステップ♯１４のＮｏの場合、例えば、ステップ♯１１に戻ればよい。
【００８４】
そして、例えば、制御部７は、複合機１００に蓄積されているプリンタジョブデータの一覧から、使用者が複合機１００に送信したプリンタジョブデータが選択されたかを確認する（ステップ♯１６）。このとき、制御部７は、使用者の実行しようとするプリンタジョブがパスワードの入力が必要か（パスワードの設定付きか）を確認する（図９参照）。パスワードの入力が必要であれば、制御部７は、表示制御部１０に対し、パスワードの入力画面を表示すべき指示を与える。その結果、表示制御部１０は、液晶表示部１１にパスワードの入力画面を表示させる。そして、制御部７や操作パネル１は、プリンタジョブに対応する正当なパスワードが入力された場合にだけ、プリンタジョブを実行する（ステップ♯１９）。
【００８５】
もし、プリンタジョブデータが選択されていなければ（ステップ♯１６のＮｏ）、表示制御部１０や制御部７は、操作パネル１に対する直前の操作から、操作されないまま所定時間経過したか、及びログアウトキー１５が押されたか等の確認等をしてログアウトして良いかを確認する（ステップ♯１７）。もし、ログアウトして良ければ（ステップ♯１７のＹｅｓ）、ログアウト状態となり（ステップ♯１８）、処理は終了される（エンド）。そして、再び、ステップ♯１１から制御が開始される。一方、ログアウトすべきでなければ（ステップ♯１７のＮｏ）、例えば、ステップ♯１５に戻る。
【００８６】
又、プリンタジョブデータが選択されれば（ステップ♯１６のＹｅｓ）、制御部７は、画像データに基づく画像形成や、給紙、用紙搬送等を行わせ、プリンタジョブが実行される（ステップ♯１９）。その後、操作パネル１や複合機１００は、ログアウト状態となる（ステップ♯１８）。尚、操作パネル１は、プリンタジョブ実行開始直後にログアウト状態となってもよいし、プリンタジョブ実行中にログアウト状態となってもよいし、プリンタジョブ完了直後にログアウト状態となってもよい。このように、本発明の画像形成装置は、通信部７４が外部装置から画像データを含むプリンタジョブデータを受信し、記憶部７３は、通信部７４が受信したプリンタジョブデータを記憶し、画像形成部４は、プリンタジョブデータの送信者のログインが認められたとき、プリンタジョブデータに基づき画像形成を開始し、画像形成開始をトリガとして、操作入力部（操作パネル１）は、ログアウト状態となる。
【００８７】
（第２の実施形態）
次に、図８〜図１１に基づき、本発明の第２の実施形態を説明する。第１の実施形態では、ジョブ実行をトリガとして、ログアウト状態とされたが、第２の実施形態では、ジョブ実行開始後に、ダイアログ表示がなされ、ダイアログ表示でログアウトする指示がなされれば、複合機１００や操作パネル１は、ログアウト状態となる点で異なる。尚、その他の点は、第１の実施形態と同様でよく、第１の実施形態と同様のものは、同じ符号を用い、特に説明する場合を除き、説明、図示を省略する。
【００８８】
（ダイアログ表示）
次に、図８を用いて、本発明の第２の実施形態に係る複合機１００でのダイアログ表示を経たログアウトを説明する。図８は、本発明の第２の実施形態に係る複合機１００で表示されるログアウト確認のダイアログ表示の一例を示す説明図である。
【００８９】
ログイン状態となった場合、使用権限を有すると認証された使用者は、複合機１００を使用できる。又、操作パネル１は、各種設定や、スタートキー１４押下によるジョブ実行開始指示を受け付ける。しかし、複合機１００の使用後、ログイン状態のままであれば、誰でも複合機１００を使用できる。又、記憶部７３に記憶させた画像データも印刷できる場合もある。このように、複合機１００が、ログイン状態が維持されると、情報セキュリティ上、問題がある。
【００９０】
そこで、本実施形態の複合機１００では、複写等のジョブの実行指示としてスタートキー１４が押下され、ジョブが開始されると、ダイアログボックスＢ３（ダイアログ表示、確認画面に相当）が液晶表示部１１になされる。このダイアログボックスＢ３内には、「ログアウトしてもよろしいですか？」のような、使用者に対する問いかけと、ＹｅｓキーＫ７とＮｏキーＫ８が配される。ＹｅｓキーＫ７が押下されれば、ログアウト状態となり、ＮｏキーＫ８が押下されれば、ログイン状態が維持される。このダイアログボックスＢ３を用いて、使用者にログアウトを行って良いかの確認が行われ、ログアウト処理忘れが無くなる。
【００９１】
図８（ａ）は、複写や、外部のコンピュータ２００からプリンタジョブデータを受信したときや、記憶部７３に記憶される画像データの印刷等、印刷ジョブの実行がなされたときの液晶表示部１１の表示の一例である。印刷ジョブが実行された際、液晶表示部１１は、印刷状況表示画面Ｄ３を表示する。印刷状況表示画面Ｄ３では、例えば、印刷ジョブ実行中であれば、左下に「印刷中です・・・」のような表示がなされる。又、例えば、印刷ジョブが完了すれば、「印刷完了しました」のような表示がなされる。そして、この印刷状況表示画面Ｄ３にダイアログボックスＢ３が表示される。
【００９２】
図８（ｂ）は、ＦＡＸ送信（ＦＡＸ機能）や、外部のコンピュータ２００に画像読取部１０２で原稿の読み取りに基づく画像データを外部のコンピュータ２００や、記憶部７３に送信して記憶させる場合など（スキャン機能）、データ送信を行った場合で表示される画面の一例である。
【００９３】
データ送信を行う場合、データの送信先（記憶先）を指定することが必要である。例えば、表示制御部１０は、データの送信先を一覧表示するアドレス帳画面Ｄ４として液晶表示部１１に一覧表示させる。データの送信先を示す送信先情報（例えば、メールアドレス、ネットワークアドレス、ＦＡＸ番号、記憶部７３の保存先フォルダ）は、予め操作パネル１への入力等により記憶部７３やメモリ１７に記憶される。
【００９４】
例えば、液晶表示部１１には、メールに画像データを添付して送信する場合に押下されるＥメールキーＫ９、外部のコンピュータ２００や、記憶部７３のフォルダに画像データを記憶させる場合に押下されるフォルダキーＫ１０、ＦＡＸ送信を行う場合に押下されるＦＡＸキーＫ１１、インターネット回線を使用して画像データを送信する場合に押下されるインターネットＦＡＸキーＫ１２が配される。使用者は、何れか或いは複数のキーを押下して、表示された送信先を押下して指定する。指定すると、アドレス帳でのチェックボックスがＯＮされる。そして、例えば、スタートキー１４が押下されると、画像データの送信がなされる。更に、このアドレス帳画面Ｄ４にもダイアログボックスＢ３が表示される。尚、画像データの送信ジョブが実行された際、液晶表示部１１は、左下に「データ送信中です・・・」のような表示がなされる。又、例えば、送信ジョブが完了すれば、「送信完了しました」のような表示がなされる。
【００９５】
（画像データの保存）
次に、図９に基づき、本発明の第２の実施形態に係る複合機１００での画像データの保存を説明する。図９（ａ）は、本発明の第２の実施形態に係る複合機１００での画像データの保存の設定画面の一例を示す説明図であり、（ｂ）は、パスワード入力画面Ｄ６の一例を示す説明図である。
【００９６】
本実施形態の複合機１００では、複写、スキャン、ＦＡＸ送信等の際、画像読取部１０２を用いて、原稿を読み取り画像データが得られる。本実施形態の複合機１００では、各機能を使用する際、画像読取部１０２を用いて得られた画像データをファイル形式に変換し（例えば、画像処理部７２が変換処理を行う）、記憶部７３に記憶することや、コンピュータ２００に送信することができる。
【００９７】
原稿の読み取りで得られた画像データを複合機１００の記憶部７３内に保存する場合、例えば、記憶部７３内には、各使用者に割り当てられた、或いは、共有の文書ボックスが設けられ、文書ボックスとして割り当てられた記憶領域に画像データを含むファイルが記憶される。これにより、再度原稿の読み取りを行うことなく、印刷やデータ送信を行うことができる。
【００９８】
ここで、画像読取部１０２を用いて、原稿を読み取らせる前に、使用者は、操作パネル１を操作して、図９に示すような画像データの保存設定画面Ｄ５を液晶表示部１１に表示させることができる。この保存設定画面Ｄ５では、保存するファイル形式を指定することができる。具体的に、使用者は、保存設定画面Ｄ５のプルダウンメニューＰＭを押下して、ファイル形式を指定できる。指定できるファイル形式は、例えば、ＰＤＦ、ＴＩＦＦ、ＪＰＥＧ等である。
【００９９】
更に、図９に示すように、本実施形態の複合機１００では、画像データを含むファイルに対し、パスワードを設定することができる。これにより、ファイルに関し、秘密を保持すべき設定を行うことができる。保存設定画面Ｄ５の中段に位置するパスワード設定領域Ｆ１では、文書（ファイル）の閲覧等、ファイルを開く際に必要となるパスワードを設定することができる。例えば、パスワードキーＫ１３や確認キー１４を押すと、ソフトキーボードＳＫが液晶表示部１０に表示され、使用者が入力を行う。又、保存設定画面Ｄ５の下段に位置するパスワード設定領域Ｆ２では、文書（ファイル）の印刷の際に必要となるパスワードを設定することができる。例えば、パスワードキーＫ１５や確認キー１６を押すと、ソフトキーボードＳＫが液晶表示部１０に表示され、使用者が入力を行う。
【０１００】
これにより、例えば、使用者が文書ボックス内のファイルの印刷や、ファイルのプレビュー画像を液晶表示部１１に表示させる場合、パスワードの入力が求められる（例えば、図９（ｂ）に示すようなパスワード入力画面Ｄ６が表示される。）。又、パスワードが設定されたファイルを複合機１００に送信して印刷させる場合（プリンタ機能）、制御部７は、使用者からの操作パネル１に対するパスワードの入力が確認されてから、ファイルの印刷を開始させる。例えば、入力キーＫ１７を押すと、ソフトキーボードＳＫが液晶表示部１０に表示され、使用者が入力を行う。
【０１０１】
（複写、データ送信のジョブを行う際のログイン、ログアウト制御）
次に、図１０に基づき、本発明の第２の実施形態に係る複合機１００で複写を行う際のログイン、ログアウト制御の一例を説明する。図１０は、本発明の第２の実施形態に係る複合機１００でのログイン、ログアウト制御の一例を示すフローチャートである。
【０１０２】
尚、本フローチャートは、複写や、原稿を読み取って、或いは、記憶部７３のボックスに記憶されたファイルの印刷や、コンピュータ２００や相手方ＦＡＸ装置３００に送信するジョブの実行時に関するフローチャートである。
【０１０３】
まず、図１０のスタート及びステップ♯２１〜ステップ♯２８は、第１の実施形態での図６のステップ♯１〜８と同様であるので、説明を省略する。
【０１０４】
そして、スタートキー１４が押下され（ステップ♯２５）、複写やデータ送信のジョブが実行されると（ステップ♯２８）。制御部７は実行ジョブが、自動ログアウト条件を満たすか確認する（ステップ♯２９）。例えば、画像読取部１０２で読み取られた画像データを、記憶部７３のボックス等に記憶させる際、操作パネル１への入力により、秘密を保持すべき旨の設定をすることができる。例えば、秘密を保持すべき設定は、記憶部７３に記憶させる画像データに付随して記憶部７３に記憶される。
【０１０５】
そこで、記憶部７３は、画像データと画像データに対応付けて秘密を保持すべき設定がなされた旨を記憶し、操作パネル１（操作入力部）は、秘密を保持すべきと定められた画像データを用いたジョブの実行開始をトリガとして、ログアウト状態となってもよい。言い換えると、制御部７は、秘密を保持すべき設定の画像データを用いたジョブであれば、自動ログアウト条件を満たすと判断してもよい。
【０１０６】
更に、本実施形態の複合機１００では、操作パネル１への入力により、画像データに対し、秘密を保持すべき設定として、パスワードを設定することができる。そして、制御部７は、実行ジョブがパスワードの入力を要するジョブであれば、自動ログアウト条件を満たすと判断してもよい。
【０１０７】
又、読み取りで得られた画像データを、パスワード設定有での保存が使用者から指示された場合、制御部７は、自動ログアウト条件を満たすと判断してもよい。又、制御部７は、特定の機能（例えば、ＦＡＸ送信）が使用された場合、自動ログアウト条件を満たすと判断しても良い。操作パネル１や液晶表示部１１への入力により、自動ログアウト条件が予め設定されてもよい。もし、自動ログアウト条件を満たす場合（ステップ♯２９のＹｅｓ）、複合機１００は、ログアウト状態となる（ステップ♯２７）。
【０１０８】
尚、ステップ♯２９にて、自動ログアウト条件を満たす場合（ステップ♯２９のＹｅｓ）でも、表示制御部１０は、ダイアログボックスＢ３を表示させ、ＹｅｓキーＫ７が押下されたかを確認してもよい。この場合、ＹｅｓキーＫ７が押下されれば、例えば、ステップ♯２７に移行し、複合機１００は、ログアウト状態となる。ＮｏキーＫ８が押下された場合、或いは、何らキーが押下されない場合、例えば、ステップ♯２３に戻ればよい。
【０１０９】
即ち、記憶部７３は、画像データを記憶し、操作入力部（操作パネル１）は、秘密を保持すべきと定められた画像データを用いた場合には、ジョブの実行開始、あるいは、ログアウト指示の入力（ＹｅｓキーＫ７の押下）をトリガとして、ログアウト状態となる。具体的な一例としては、記憶部７３は、画像データを記憶し、操作入力部（操作パネル１）は、秘密を保持すべきと定められた画像データを用いてジョブを行う際に必要となり、画像データに付随するパスワードの入力を受け付け、パスワードの入力を要する画像データを用いた場合には、ジョブの実行開始、あるいは、ログアウト指示の入力（ＹｅｓキーＫ７の押下）をトリガとして、ログアウト状態となる。
【０１１０】
一方、自動ログアウト条件を満たさない場合（ステップ♯２９のＮｏ）、表示制御部１０は、ダイアログボックスＢ３を表示させる（ステップ♯４０）。尚、複写が実行中でもダイアログボックスＢ３が表示されても構わない。そして、表示制御部１０は、ＹｅｓキーＫ７が押下されたかを確認する（ステップ♯４１）。ＹｅｓキーＫ７が押下されれば（ステップ♯４１のＹｅｓ）、ステップ♯７に移行し、複合機１００は、ログアウト状態となる。
【０１１１】
即ち、本発明に係る画像形成装置（例えば、複合機１００）は、使用者を特定するための識別情報を取得する識別情報取得部（操作パネル１、認証装置６１）と、画像形成装置を使用させて良いか判定するための認証情報を記憶する記憶部７３（記憶部７３、メモリ１７、メモリ６３）と、表示を行い、入力を受け付ける表示入力部（液晶表示部１１及びタッチパネル１２）を含み、識別情報取得部が取得した識別情報と、認証情報に基づき、画像形成装置の使用が許可されログインが認められた状態では、少なくとも画像形成装置に行わせるジョブの実行開始指示を受け付け、ログアウト状態ではジョブの実行開始指示を受け付けず、かつ、ジョブの実行開始指示がなされたことをトリガとして、ログアウト状態としてよいか否かを設定するための確認画面（ダイアログボックスＢ３）を表示入力部（液晶表示部１１及びタッチパネル１２）に表示し、確認画面でログアウト状態として良い旨の入力であるログアウト指示（ＹｅｓキーＫ７の押下）が行われたことをトリガとしてログアウト状態となる操作入力部（操作パネル１）と、を有する。
【０１１２】
具体的に、画像形成装置は、原稿を読み取る画像読取部１０２と、画像読取部１０２が生成した原稿の画像データに基づき画像を形成して用紙に複写を行う画像形成部４を有し、ログアウト指示の入力をトリガとして、操作入力部（操作パネル１）は、ログアウト状態となる。又、画像形成装置は、外部装置とデータの通信を行うための通信部７４を有し、ログアウト指示の入力をトリガとして操作入力部は、ログアウト状態となる。
【０１１３】
一方、ＮｏキーＫ８が押下された場合、或いは、ジョブ完了までに何らキーが押下されない場合（ステップ♯３１のＮｏ）、例えば、ステップ♯２３に戻る。
【０１１４】
（プリンタジョブを行う際のログイン、ログアウト制御）
次に、図１１に基づき、本発明の第２の実施形態に係る複合機１００をプリンタとして使用する際のログイン、ログアウト制御の一例を説明する。図１１は、本発明の第２の実施形態に係る複合機１００をプリンタとして使用する際のログイン、ログアウト制御の一例を示すフローチャートである。
【０１１５】
まず、図１０のスタート及びステップ♯４１〜ステップ♯４９は、第１の実施形態での図７のステップ♯１１〜１９と同様であるので、説明を省略する。又、ステップ♯５０〜ステップ♯５２は、図１１のステップ♯２９〜ステップ♯３１と同様であり、説明を省略する。
【０１１６】
尚、本フローでは、例えば、プリンタジョブデータのファイルの印刷にパスワードが必要である場合や、コンピュータ２００からの画像データや設定データの送信の際に、秘密を保持すべき設定がなされた場合、自動ログアウト条件を満たすと判断されてもよい。又、自動ログアウト条件を満たす場合（ステップ♯５０のＹｅｓ）でも、表示制御部１０はダイアログボックスＢ３を表示させ、ＹｅｓキーＫ７が押下されたかを確認してもよい。このように、本発明の画像形成装置は、通信部７４が外部装置から画像データを含むプリンタジョブデータを受信し、記憶部７３は、通信部７４が受信したプリンタジョブデータを記憶し、画像形成部４は、プリンタジョブデータの送信者のログインが認められたとき、プリンタジョブデータに基づき画像形成を開始し、ダイアログ表示でのログアウト指示の入力をトリガとして、操作入力部（操作パネル１）は、ログアウト状態となる。
【０１１７】
このようにして、第１、第２の実施形態に係る本発明の構成によれば、操作入力部（操作パネル１）は、ジョブの実行開始、あるいは、ジョブの実行開始後、直ちに表示される確認画面（ダイアログボックスＢ３）でのログアウト指示（ＹｅｓキーＫ７の押下）をトリガとしてログアウト状態となるので、ログアウトが確実に行われる。これにより、ログアウト処理忘れを防ぐことができる。又、直前に使用していた使用者になりすましての画像形成装置（例えば、複合機１００）の使用を防ぐことができる。又、画像形成装置内の機密を保持すべき文書等のデータの悪意の第三者による閲覧、印刷を防ぐことができる。従って、キーの押下や、ジョブ完了から一定時間経過により、ログアウト状態に移行される場合よりも、情報セキュリティ上の性能を高めることができる。又、第２の実施形態に関し、操作入力部は、確認画面（ダイアログボックスＢ３）でログアウト状態として良い旨の入力が行われた後にログアウト状態となるので、使用者の意思を確認したうえで、ログアウト処理が行われる。これにより、続けてジョブを行う場合など、使用者は、ログインを再度行う必要が無く、画像形成装置の利便性を高めることができる。
【０１１８】
又、特に第２の実施形態に関し、パスワードの入力を要する画像データを用いた場合など、秘密を保持すべきと定められた画像データを用いた場合には、ジョブの実行開始、あるいは、ログアウト指示の入力をトリガとして、ログアウト状態となるので、セキュリティ上、機密を保持すべきジョブが実行されたとき、自動的にログアウト処理が行われる。あるいは、機密を保持すべきと定められた画像データを用いた場合、ログアウト指示の入力をトリガとして、ログアウト状態となるので、ログアウト処理忘れを防ぐことができる。従って、機密を保持すべきレベルが高いジョブに関して悪意の第三者によって実行履歴の閲覧や再印刷等が行われることを防ぐことができる。
【０１１９】
又、従来、使用者は、複写物を得ると目的を達したとして、ログアウト状態とするためのキーを押下し忘れる等のログアウト処理を忘れることがあったが、この構成によれば、複写（コピー）のジョブの実行開始、あるいは、前記ログアウト指示の入力をトリガとして、操作入力部（操作パネル１）は、ログアウト状態となる。これにより、複写が行われても、確実に画像形成装置をログアウト状態とすることができる。
【０１２０】
又、従来、使用者は、ＦＡＸ送信等を行うと目的を達したとして、ログアウト状態とするためのキーを押下し忘れる等のログアウト処理を忘れることがあったが、データ送信のジョブの実行開始、あるいは、前記ログアウト指示の入力をトリガとして、操作入力部（操作パネル１）は、ログアウト状態となる。これにより、データ送信が行われても、確実に画像形成装置（例えば、複合機１００）をログアウト状態とすることができる。又、画像形成部４は、プリンタジョブデータの送信者のログインが認められたとき、プリンタジョブデータに基づき画像形成を開始するので、印刷物が確実にプリンタジョブデータの送信者に受け取られる。又、画像形成を開始、あるいは、前記ログアウト指示の入力をトリガとして、操作入力部は、ログアウト状態となるので、プリンタジョブの印刷が行われても、確実に画像形成装置（例えば、複合機１００）をログアウト状態とすることができる。又、識別情報取得部は、操作入力部（操作パネル１）でもあるとする。例えば、名前やパスワードの入力を受け付けて、識別情報を使用者の入力により取得する場合のように、操作入力部に識別情報を入力する場合がある。これにより、操作入力部と識別情報取得部を一体化することができ、コスト、スペースの点で有利である。
【０１２１】
又、本発明の実施形態を説明したが、本発明の範囲はこれに限定されるものではなく、発明の主旨を逸脱しない範囲で種々の変更を加えて実施することができる。
【産業上の利用可能性】
【０１２２】
本発明は、認証機能を備えた画像形成装置に利用可能である。
【符号の説明】
【０１２３】
１      操作パネル（操作入力部、識別情報取得部）
１１    液晶表示部（表示入力部）        １２    タッチパネル（表示入力部）
１７    メモリ（記憶部）                ４      画像形成部
６１    認証装置（識別情報取得部）      ６３    メモリ（記憶部）
７３    記憶部                          ７４    通信部
１００  複合機（画像形成装置）          １０２  画像読取部
２００  コンピュータ（外部装置）        ３００  ＦＡＸ装置（外部装置）
Ｂ３    ダイアログボックス（確認画面）
【図１】
2011123249.tif 000003
【図２】
2011123249.tif 000004
【図３】
2011123249.tif 000005
【図４】
2011123249.tif 000006
【図５】
2011123249.tif 000007
【図６】
2011123249.tif 000008
【図７】
2011123249.tif 000009
【図８】
2011123249.tif 000010
【図９】
2011123249.tif 000011
【図１０】
2011123249.tif 000012
【図１１】
2011123249.tif 000013